(57)【特許請求の範囲】
【請求項１】
第１の方向に配置された前方の第１の領域と後方の第２の領域を有する座部と、
座部に取り付けられ、上方に伸延する支持部と、
前記支持部に取り付けられ、背中を支持するための枕部と、
前記支持部に取り付けられる、前記第１の方向と交差する第２の方向に延伸するハンドル部と、
前記座部に取り付けられ、下方に延伸する脚部と、を備え、
前記座部は、前記第２の領域の周縁部に設けられた足掛部を有し、
前記座部は、前記第２の領域と前記枕部との間に、下肢が挿通可能に設けられた空隙を有し、
前記座部の第２の領域が、第１方向に突出した凸形状を有することを特徴とする椅子。
【請求項２】
前記足掛部は、前記座部の中心から周縁部に向かって傾斜する傾斜部を有することを特徴とする請求項１に記載の椅子。
【請求項３】
前記座部の前記第２領域に取り付けられ、前記第２の方向に延伸する軸心と、
前記軸心に挿通される軸受と、
前記軸受に固定され、前記軸心を支点として上下方向に回転可能に設けられた角度調整部と、を有することを特徴とする請求項１又は２に記載の椅子。
【請求項４】
前記足掛部は、脚を支持するための凹部を有することを特徴とする請求項１〜３のいずれか一項に記載の椅子。
【請求項５】
前記座部の第1の領域の周縁部に、前記第２の領域に設けられた前記足掛部と別の足掛部を有することを特徴とする請求項１〜４のいずれか一項に記載の椅子。
【請求項６】
前記第1の領域に設けられた前記足掛部は、脚を支持するための凹部を有することを特徴とする請求項５に記載の椅子。
【請求項７】
前記ハンドル部は、前記枕部に一体に取り付けられていることを特徴とする請求項１〜６のいずれか一項に記載の椅子。
【請求項８】
前記ハンドル部は、第２の方向に延伸し、第１の方向であって前方向に弯曲することを特徴とする請求項１〜７のいずれか一項に記載の椅子。
【発明の詳細な説明】
【技術分野】
【０００１】
本発明は、椅子に関するものである。
【背景技術】
【０００２】
長時間座位姿勢を保つために、座り心地に優れた椅子としては、従来から種々の構造のものが提案されている。
【０００３】
特許文献１（実開平６−３１５５０）には、座部を床面に対し水平状態と、前傾状態とに保持し得る構造により、着座した際に正しい姿勢となるように誘導する椅子が提案されている。
【先行技術文献】
【特許文献】
【０００４】
【特許文献１】実開平６−３１５５０号公報
【発明の概要】
【発明が解決しようとする課題】
【０００５】
長期的に固定した関節は、筋委縮、筋柔軟性の低下による可動制限がみられる。また、関節を一方向に曲げ続けると、逆方向に動かしにくくなる。これらは、着座者の椅子による座位姿勢において、猫背姿勢にも同じ事が起きていることが考えられる。特許文献１には、着座した際に正しい座位姿勢を保持するために座部を床面に対し水平状態と、前傾状態とに保持し得る構造を有する椅子が提案されているが、特許文献１に有する座部と背もたれ部の形状では、猫背姿勢が長期的に継続された着座者は、正しい姿勢に起こすことができず、長時間の座位姿勢を保てない場合がある。
【課題を解決するための手段】
【０００６】
本発明に係る椅子は、第１の方向に配置された第１の領域と第２の領域を有する座部と、座部に取り付けられ、上方に伸延する支持部と、前記支持部に取り付けられ、背中を支持するための枕部と、前記支持部に取り付けられる、前記第１の方向と交差する第２の方向に延伸するハンドル部と、  前記座部に取り付けられ、下方に延伸する脚部とを備える。前記座部は、前記第２の領域の周縁部に設けられた足掛部を有し、前記座部は、前記第２の領域と前記枕部との間に、下肢が挿通可能に設けられた空隙を有することを特徴とする。
【０００７】
本発明に係る椅子では、座部は、前記第２の領域の周縁部に設けられた足掛部を有し、前記座部は、前記第２の領域と前記枕部との間に、股関節が伸展可能に設けられた空隙を有することにより、椅子に座りながら股関節を伸展することができる。
【０００８】
また、本発明に係る椅子において、前記足掛部は、前記座部の中心から周縁部に向かって傾斜する傾斜部を有することを特徴としてもよい。足掛部が、座部の中心から周縁部に向かって傾斜する傾斜部を有することにより、股関節を伸展した際に周縁部と大腿部との接触圧力を和らげることができる。
【０００９】
また、本発明に係る椅子は、前記座部の前記第２領域に取り付けられ、前記第２の方向に延伸する軸心と、前記軸心に挿通される軸受と、前記軸受に固定され、前記軸心を支点として上下方向に回転可能に設けられた角度調整部とを有することを特徴としてもよい。上下方向に回転可能に設けられた角度調整部を有することにより、着座者の股関節伸展時の脚の可動範囲に応じて大腿部の接触圧力を調整することができる。
【００１０】
また、本発明に係る椅子では、足掛部が、第１方向に突出した凸形状を有することを特徴としてもよい。足掛部が、第１方向に突出した凸形状を有することにより、着座者の股関節の伸展動作をガイドおよびサポートすることができる。
【００１１】
また、本発明に係る椅子では、足掛部は、脚を支持するための凹部を有することを特徴としてもよい。足掛部は、脚を支持するための凹部を有することにより、着座者が足掛部の凹部で脚を支持させながら容易に股関節の可動状態を維持することができる。
【００１２】
また、本発明に係る椅子は、前記ハンドル部は、前記枕部に一体に取り付けられていることを特徴としてもよい。ハンドル部は、前記枕部に一体に取り付けられていることにより、枕部の高さ調整幅を大きく保つことができ、把持することにより体を支えながら股関節を可動することができるとともに、股関節の伸展した際のストレッチの強さを調整することができる。また、枕部材と腰背部の接触圧力を調整できる。
【００１３】
また、本発明に係る椅子は、前記座部は、座受けと、着座部本体上に積層された緩衝部材とを有する多層構造からなることを特徴としてもよい。座部は、座受けと、着座部本体（大腿部と座部の外縁部との接触面積を広くするために設けるテーパ状または丸縁状の形状を保持し、圧力をかけても沈み切らない硬さの素材）上に積層された緩衝部材とを有する多層構造からなることにより、着座者が両股関節を第１の方向に前方に屈曲させる通常の座位姿勢において、座部と臀部の接触圧力を該緩衝部材により和らげることにより、座り心地の向上を図るとともに、着座部本体の該形状により、着座者が股関節を外転または伸展に可動した際に、大腿部と座部の外縁部との接触圧力を和らげることができる。
【００１４】
また、本発明に係る椅子は、前記足掛部の外縁部厚みが、前記第１の領域の緩衝部材の厚みより大きい厚みを有することを特徴としてもよい。足掛部の外縁部厚みが、前記第１の領域の緩衝部材の厚みより大きい厚みを有することにより、着座者が股関節を伸展した際の大腿部と座部の外縁部との接触圧力を和らげることができる。
【発明の効果】
【００１５】
本発明に係る椅子は、第１の方向に配置された第１の領域と第２の領域を有する座部と、上方に伸延する支持部と、支持部に取り付けられ背中を支持するための枕部と、支持部または枕部に取り付けられる、前記第１の方向と交差する第２の方向に延伸するハンドル部を備えている。座部は、第２の領域の周縁部に設けられた足掛部を有し、さらに座部の第２の領域と枕部との間に、下肢が挿通可能に設けられた空隙を有する。このような構造を有することにより、枕部により背中を押したままの状態で椅子に座りながら股関節を伸展することができる。また、股関節を伸展する際に、ハンドルで身体を支えることができるので、より効果的に猫背を予防し、姿勢を矯正することができる。
【図面の簡単な説明】
【００１６】
【図１】図１は、本実施形態に係る椅子を概略的に示す斜視図である。
【図２】図２は、本実施形態に係る椅子を概略的に示す図である。図２(ａ)、（ｂ）、（ｃ）、及び（ｄ）は、それぞれ前面図、側面図、後面図、及び上面図を示す。
【図３】図３は、図１に示した椅子の座部を概略的に示す上面図である。
【図４】図４は、図１に示した椅子の座部を概略的に示すである。図４（ａ）、（ｂ）、及び（ｃ）は、それぞれ断面図を示す。
【図５】図５は、図１に示した椅子の座部を概略的に示す図である。図５（ａ）、（ｂ）、及び（ｃ）は、それぞれ上面図、斜視図、及び断面図を示す。
【図６】図６は、図１に示した椅子の座部を概略的に示す図である。図６（ａ）、（ｂ）、及び（ｃ）は、それぞれ上面図、斜視図、及び断面図を示す。
【図７】図７は、図１に示した椅子の座部を概略的に示す図である。図７（ａ）、（ｂ）、及び（ｃ）は、それぞれ上面図、斜視図、及び断面図を示す。
【図８】図８は、図１に示した椅子の座部を概略的に示す図である。図８（ａ）、（ｂ）、（ｃ）、及び（ｄ）は、それぞれ上面図、及び側面図を示す。
【図９】図９は、図１に示した椅子の座部を概略的に示す図である。図９（ａ）、（ｂ）、及び（ｃ）は、それぞれ上面図、斜視図、及び断面図を示す。
【図１０】図１０は、図１に示した椅子の座部を概略的に示す図である。図１０（ａ）、（ｂ）、及び（ｃ）は、それぞれ上面図、斜視図、及び断面図を示す。
【図１１】図１１は、図１に示した椅子の枕部と接合部の接合を概略的に示す図である。図１１（ａ）、（ｂ）、（ｃ）、及び（ｄ）は、それぞれ後面図、側面図を示す。
【図１２】図１２は、本実施形態に係る椅子の変形例を概略的に示す図である。図１２(ａ)、（ｂ）、（ｃ）、及び（ｄ）は、それぞれ前面図、側面図、後面図、及び上面図を示す。
【図１３】図１３は、本実施形態に係る椅子の変形例を概略的に示す斜視図である。
【図１４】図１４は、図１３に示した椅子の枕部と接合部の接合を概略的に示す図である。図１４（ａ）、（ｂ）、（ｃ）、及び（ｄ）は、それぞれ後面図、側面図を示す。。
【図１５】図１５は、本実施形態に係る椅子の変形例を概略的に示す図である。図１５(ａ)、（ｂ）、（ｃ）、及び（ｄ）は、それぞれ前面図、側面図、後面図、及び上面図を示す。
【図１６】図１６は、本実施形態に係る椅子の変形例を概略的に示す斜視図である。
【図１７】図１７は、本実施形態に係る椅子の変形例を概略的に示す図である。図１７(ａ)、（ｂ）、（ｃ）、及び（ｄ）は、それぞれ前面図、側面図、後面図、及び上面図を示す。
【図１８】図１８は、本実施形態に係る椅子に座る姿勢を概略的に示す側面図である。
【図１９】図１９は、本実施形態に係る椅子に座り、枕部に接触した腰背部の状態を概略的に示す側面図である。
【図２０】図２０は、本実施形態に係る椅子に座る姿勢を概略的に示す側面図である。
【図２１】図２１は、本実施形態に係る椅子に座る姿勢を概略的に示す側面図である。
【図２２】図２２は、本実施形態に係る椅子に座る姿勢を概略的に示す側面図である。
【図２３】図２３は、本実施形態に係る椅子に座り、股関節を可動した骨格の状態を概略的に示す上面図である。
【図２４】図２４は、本実施形態に係る椅子に座る姿勢を概略的に示す側面図である。
【図２５】図２５は、本実施形態に係る椅子に座る姿勢を概略的に示す側面図である。
【図２６】図２６は、本実施形態に係る椅子に座る姿勢を概略的に示す上面図である。
【図２７】図２７は、本実施形態に係る椅子に座る姿勢を概略的に示す側面図である。
【発明を実施するための形態】
【００１７】
以下、図面と共に本発明に係る椅子の実施形態について詳細に説明する。なお、図面の説明においては同一要素には同一符号を付し、重複する説明を省略する。説明中、「上」、「下」、「前」、「後」、「側面」等の方向を示す語は、図面に示された状態に基づいた便宜的な語である。また、本実施形態において、ｘ方向が第２の方向に、ｙ方向が第１の方向に、ｚ方向が第３の方向に該当する。
【００１８】
図１及び２に、本実施形態に係る椅子の概略図を示す。図１は、椅子１の斜視図を示す。図２（ａ）、（ｂ）、（ｃ）、及び（ｄ）は、それぞれ椅子１の正面図、背面図、側面図、及び上面図を示す。図１、２に示すように、椅子１は、座部２と、座部２を支持する脚部１３と、座部２の後部に配置され、枕部５を保持するための支持部６を有する。図１に示すように、本実施形態において、支持部６は、上下方向に延伸している。枕部５は、例えば円柱形状を有しており、支持部６が延伸する方向と交差する方向（図においては、左右方向）に延伸することができる。枕部５には、ハンドル部３（３ａ、３ｂ）が一体に形成され、枕部５の側面から突出するように形成されている。
【００１９】
図１に示すように、座部２と枕部５との間には、空隙３０（３０ａ、３０ｂ）が設けられている。空隙３０は、図２０で示したように、椅子５に着座する際に、着座者が股関節を伸展させて、下肢を挿通可能なように形成されている。このとき、臀部が空隙３０を介して、後方に露出する状態で、着座できるように、座部２と枕部５と空隙３０を有して配置されている。
【００２０】
図１、２に示すように、脚部１３は、例えば、周知のガスシリンダーによる昇降機構とキャスターを有する脚部１３を設置することができる。図２（ａ）、（ｂ）に示すように、周知のガスシリンダーによる昇降機構とキャスターを有する脚部を設ける際は、座部２の底面には、支持基部１４を設けることができる。また、支持基部１４には、脚部１３が接続されていると共に、支持部６が接続固定されている。また、座部２は、回動可能に支持基部１４に固定されている。
【００２１】
図２（ｂ）（ｃ）に示すように、座部２の第２の領域の後部には、支持部６が第３の方向の上方に延伸するように接合されている。
また、該接合は、座部２の底面に前記支持基部１４を設けることにより、リクライニング機構９０を接合することができる。支持基部１４と支持部６をリクライニング機構９０により接合することにより、支持部６を角度調整可能に固定することができる。
【００２２】
また、支持部６は、着座者が股関節を伸展に可動するための空隙３０（３０ａ、３０ｂ）を広く確保するために、充分な強度を保持できる範囲で、第２の方向の横幅を狭く形成することができる。
【００２３】
図３〜１０は、座部２の形状、構造を説明するために示す概略図である。図３は座部２の上面図である。図３に示すように座部２は、第１の方向に第１の領域１０１（１０１ａ、１０１ｂ、１０１ｃ）の前部と、第２の領域１０２（１０２ａ、１０２ｂ）の後部により構成することができる。
【００２４】
座部２の第１の領域１０１ｃは、着座時に股関節が屈曲の状態となる通常の座位姿勢で、脚を置く領域である。
【００２５】
座部２の第１の領域１０１ａ、１０１ｂは、着座時に股関節が外転の状態となる座位姿勢で、脚を置く領域である。
【００２６】
座部２の第２の領域１０２（１０２ａ、１０２ｂ）は、第１方向に突出した凸形状を有しており、着座時に股関節が伸展の状態となる座位姿勢で脚を置く領域である。
【００２７】
図３に示すように、座部２の第２の領域１０２（１０２ａ、１０２ｂ）の形状は、Ｒ部２４（２４ａ、２４ｂ）からなる凸形状を有することができ、座部２の、第１の領域１０１ａ、１０１ｂに、着座者が股関節を外転に可動した脚を置くための第１の足掛部２２（２２ａ、２２ｂ）と、第２の領域１０２（１０２ａ、１０２ｂ）に、着座者が股関節を伸展に可動した脚を置くための第２の足掛部２３（２３ａ、２３ｂ）は、丸縁またはテーパ状を形成することができる。
【００２８】
また、Ｒ部２４（２４ａ、２４ｂ）の形状により、着座者の股関節の伸展動作をガイドするよう支えることができる。
【００２９】
図４は図３の上面図に示すＩ−Ｉ線に沿った断面図である。座部２を構成する着座部本体２１ａは外縁部に設けるテーパ状または丸縁状を保持するために、圧力をかけても沈み切らない硬さを有したゴム材、高反発部材、木材等を着座部本体２１ａと、その上面と外周壁及び座受け２０の側面（外周壁）を覆い隠し得る寸法を有するゴム材、ウレタン素材など比較的柔らかく、クッション性を有した緩衝部材２１ｂを配置するよう構成することができる。ポリエステル等のプラスチック樹脂、布、合皮生地、皮革から成る布材を主体に構成された張地を、着座部本体２１ａの全域を覆い隠し得る寸法を有し、張地の端部を着座部本体２１の外周縁に止着してもよい。
【００３０】
前記構成は、着座部本体２１ａと座受け２０が好適に接合されていればよく、張地の接合は、機械的接合によらず、化学的接合、材料的接合により接合することができ、座受け２０と緩衝部材の接合部は、張地による支持によらず、化学的接合、材料的接合により接合することができる。
【００３１】
図４の（ａ）に示すように、座部２の外縁部は着座者が股関節を外転および伸展に可動した際の大腿部との接触面積を広げ、接触圧力を和らげるため、テーパ状を形成した着座部本体２１ａと、着座部本体２１ａの底面には座受け２０が接合され、その上面と外周壁及び座受け２０の側面（外周壁）を覆い隠し得る寸法を有する緩衝部材２１ｂを配置するよう構成することができる。
【００３２】
また、図４（ｂ）に示すように座部２の外縁部は着座者が股関節を外転および伸展に可動した際の大腿部と接触圧力を和らげるため、丸縁状に形成された着座部本体２１ａと、着座部本体２１ａの底面には座受け２０が接合され、その上面と外周壁及び座受け２０の側面（外周壁）を覆い隠し得る寸法を有する緩衝部材２１ｂを配置するよう構成することができる。
【００３３】
また、図４（ｃ）に示すように、座部２に有する着座部本体２１ａの外縁部は着座者が股関節を外転および伸展に可動した際の大腿部と座部２の外縁部との接触面積を広げ、接触圧力を和らげるため、テーパ状を形成した着座部本体２１ａと、着座部本体２１ａの底面には座受け２０が接合され、その上面と外周壁及び座受け２０の側面（外周壁）を覆い隠し得る寸法を有する緩衝部材２１ｂを配置するよう構成することができる。
【００３４】
また、緩衝部材２１ｂの外縁部を丸縁状に形成することにより、着座部本体２１ａのテーパ状を有する第１の足掛部２２（２２ａ、２２ｂ）および第２の足掛部２３（２３ａ、２３ｂ）と緩衝部材２１ｂの間に厚みが増した緩衝部材補強部２１ｃのクッション性により大腿部との接触圧力を和らげることができる。
【００３５】
前記緩衝部材２１ｂの設置状態により、座部２の側縁部の形状が異なるため、図５〜１０の座部に関わる形状の説明は、座部２と着座部本体２１ａの形状について示すものとする。
【００３６】
図５は、座部２または着座部本体２１ａの変形例の形状と構成を説明するために示す図である。図５（ａ）（ｂ）（ｃ）に示すように、
【００３７】
図３に示すように、座部２または着座部本体２１ａの第２の領域１０２（１０２ａ、１０２ｂ）の形状は、Ｒ部２４（２４ａ、２４ｂ）からなる凸形状を有することができる。また、座部２または着座部本体２１ａの第１の領域１０１ａ、１０１ｂに、着座者が股関節を外転した際に大腿部と座部２の外縁部との接触面積を広げ、接触圧力を和らげるための丸縁またはテーパ状を形成した第１の足掛部２２（２２ａ、２２ｂ）と、第２の領域１０２（１０２ａ、１０２ｂ）に、着座者が股関節を伸展した際に大腿部と座部２または着座部本体２１ａの外縁部との接触面積を広げ、接触圧力を和らげるための傾斜部を有した第２の足掛部２００（２００ａ、２００ｂ）を有することができる。
【００３８】
また、図５（ａ）（ｂ）に示すように、第２の足掛部２００（２００ａ、２００ｂ）は、Ｒ部２４（２４ａ、２４ｂ）からなる凸形状と、着座部上面から傾斜が始まる平面の端部となるＲ２５（２５ａ、２５ｂ）からなる凸形状の中間領域に形成することができ、第１の方向に行くほど中間領域が漸次幅広になることにより、傾斜角度が緩やかに形成することができる。
【００３９】
図５（ｃ）は図５（ａ）の上面図に示すＩＩ−ＩＩ線に沿った断面図である。図５（ｃ）に示すように、第２の足掛部２００（２００ａ、２００ｂ）を設けることにより、、着座者が股関節を伸展に可動した際の大腿部と着座部本体２１ａの外縁部との接触面積を広くするとともに、緩衝部材２１ｂの外縁部を丸縁状に形成することにより、着座部本体２１ａ外縁部の傾斜と緩衝部材２１ｂの間に厚みが漸増する緩衝部材補強部２１ｄが形成され、クッション性が増加することにより大腿部との接触圧力を和らげることができる。
【００４０】
更に、Ｒ部２４（２４ａ、２４ｂ）の形状と第２の足掛部２００（２００ａ、２００ｂ）に形成された漸次緩やかな傾斜により、着座者が股関節の伸展動作をガイドするよう支えることができる。
【００４１】
図６は、座部２または着座部本体２１ａの変形例の形状と構成を説明するために示す図である。図６（ａ）（ｂ）（ｃ）に示すように、座部２または着座部本体２１ａは、第１の方向に第１の領域１０１（１０１ａ、１０１ｂ、１０１ｃ）の前部と、第２の領域１０２（１０２ａ、１０２ｂ）の後部により構成することができる。
【００４２】
座部２または着座部本体２１ａの第１の領域１０１ｃは、着座時に股関節が屈曲の状態となる通常の座位姿勢で、脚を置く領域である。
【００４３】
座部２または着座部本体２１ａの第１の領域１０１ａ、１０１ｂは、着座時に股関節が外転の状態となる座位姿勢で、脚を置く領域である。座部２に有する着座部本体２１ａの第１の領域１０１ａ、１０１ｂは、着座者が股関節を外転した際に大腿部と座部２または着座部本体２１ａの外縁部との接触圧力を和らげるための傾斜部を有した第１の足掛部２００（２０１ａ、２０１ｂ）を有することができる。
【００４４】
また、座部２または着座部本体２１ａの第２の領域１０２（１０２ａ、１０２ｂ）は、着座者が股関節を伸展した際に大腿部と座部２または着座部本体２１ａの外縁部との接触面積を広げ、接触圧力を和らげるための傾斜部を有した第２の足掛部２０２（２０２ａ、２０２ｂ）を有することができる。
【００４５】
また、図６（ａ）（ｂ）に示すように、第１の足掛部２０１（２０１ａ、２０１ｂ）は、第１の領域１０１（１０１ａ、１０１ｂ）の外縁部２９（２９ａ、２９ｂ）と、着座部上面から傾斜が始まる平面の端部となるＲ２６（２６ａ、２６ｂ）の中間領域に形成することができ、第１の方向に行くほど中間領域が漸次幅広になることにより、傾斜角度が緩やかに形成することができる。
【００４６】
また、第２の足掛部２０２（２０２ａ、２０２ｂ）は、Ｒ部２４（２４ａ、２４ｂ）からなる凸形状と、着座部上面から傾斜が始まる平面の端部となるＲ部２７（２７ａ、２７ｂ）からなる凸形状の中間領域に形成することができ、第１の方向に行くほど中間領域が漸次幅広になることにより、傾斜角度が緩やかに形成することができる。
【００４７】
図６（ｃ）は図６（ａ）の上面図に示すＩＩ−ＩＩ線に沿った断面図である。図６（ｂ）（ｃ）に示すように、座部２または着座部本体２１ａの第１の領域１０１（１０１ａ、１０１ｂ）に第１の足掛部２０１（２０１ａ、２０１ｂ）、第２の領域１０２（１０２ａ、１０２ｂ）に第２の足掛部２０２（２０２ａ、２０２ｂ）を設けることにより、着座者が股関節を外転および伸展に可動した際の大腿部と座部２の外縁部との接触面積を広くするとともに、緩衝部材２１ｂの外縁部を丸縁状に形成することにより、着座部本体２１ａ外縁部の傾斜と緩衝部材２１ｂの間に厚みが漸増する緩衝部材補強部２１ｅが形成され、クッション性が増加することにより、着座者が股関節を外転および伸展に可動した際の大腿部との接触圧力を和らげることができる。
【００４８】
更に、外縁部２９（２９ａ、２９ｂ）からＲ部２４（２４ａ、２４ｂ）からなる着座部本体２１ａの外縁部と、着座部上面から傾斜が始まる平面の端部となるＲ２６（２６ａ、２６ｂ）からＲ部２７（２７ａ、２７ｂ）からなる凸形状の中間領域に形成する第１の足掛部２０１（２０１ａ、２０１ｂ）から第２の足掛部２０２（２０２ａ、２０２ｂ）の漸次緩やかな傾斜により、着座者が股関節の外転から伸展動作をガイドするよう支えることができる。
【００４９】
図７は、座部２または着座部本体２１ａの変形例の形状と構成を説明するために示す図である。図７（ａ）（ｂ）（ｃ）に示すように、座部２または着座部本体２１ａは、第１の方向に第１の領域１０１（１０１ａ、１０１ｂ、１０１ｃ）の前部と、第２の領域１０２（１０２ａ、１０２ｂ）の後部により構成することができる。
【００５０】
座部２または着座部本体２１ａの第１の領域１０１ｃは、着座時に股関節が屈曲の状態となる通常の座位姿勢で、脚を置く領域である。
【００５１】
座部２または着座部本体２１ａの第１の領域１０１ａ、１０１ｂは、着座時に股関節が外転の状態となる座位姿勢で、脚を置く領域である。
【００５２】
座部２または着座部本体２１ａの、第１の領域１０１（１０１ａ、１０１ｂ）に、着座者が股関節を外転した際に大腿部と座部２の外縁部との接触面積を広げ、接触圧力を和らげるための傾斜部を有した第１の足掛部２２（２２ａ、２２ｂ）と、座部２または着座部本体２１ａの第２の領域１０２（１０２ａ、１０２ｂ）は、着座者が股関節を伸展した際に大腿部と座部２の外縁部との接触面積を広げ、接触圧力を和らげるための傾斜部を有した第２の足掛部２０３（２０３ａ、２０３ｂ）を有することができる。
【００５３】
また、図７（ａ）（ｂ）に示すように、第２の足掛部２０３（２０３ａ、２０３ｂ）は、Ｒ部２４（２４ａ、２４ｂ）からなる凸形状と、第２の領域最後部に有する平面部２１０の両側の傾斜角度が緩やかに形成することができる。
平面部２１０は、支持部６の第２方向の幅の長さと接合する位置に合せて形成することができる。
【００５４】
図７（ｃ）は図７（ａ）の上面図に示すＩＩ−ＩＩ線に沿った断面図である。図７（ｃ）に示すように、座部２または着座部本体２１ａに第２の足掛部２０３（２０３ａ、２０３ｂ）を設けることにより、着座者が股関節を伸展に可動した際の大腿部と座部２の外縁部との接触面積を広くするとともに、緩衝部材２１ｂの外縁部を丸縁状に形成することにより、着座部本体２１ａ外縁部の傾斜と緩衝部材２１ｂの間に厚みが漸増する緩衝部材補強部２１ｄが形成され、クッション性が増加することにより大腿部との接触圧力を和らげることができる。
【００５５】
更に、Ｒ部２４（２４ａ、２４ｂ）の形状と第２の足掛部２０３（２０３ａ、２０３ｂ）に形成された傾斜により、着座者が股関節の伸展動作をガイドするよう支えることができる。
【００５６】
図８は、座部２または着座部本体２１ａの変形例の形状と構成を説明するために示す図である。図８（ａ）（ｂ）（ｃ）（ｄ）に示すように、座部２または着座部本体２１ａは、第１の方向に第１の領域１０１（１０１ａ、１０１ｂ、１０１ｃ）の前部と、第２の領域１０２（１０２ａ、１０２ｂ）の後部により構成することができる。
【００５７】
座部２または着座部本体２１ａの第１の領域１０１ｃは、着座時に股関節が屈曲の状態となる通常の座位姿勢で、脚を置く領域である。
【００５８】
座部２または着座部本体２１ａの第１の領域１０１ａ、１０１ｂは、着座時に股関節が外転の状態となる座位姿勢で、脚を置く領域である。
【００５９】
着座者が股関節を伸展した際に大腿部と座部２または着座部本体２１ａの外縁部との接触圧力を和らげるために、丸縁またはテーパ状を形成することができるとともに、座部２または着座部本体２１ａの第２の領域１０２（１０２ａ、１０２ｂ）には角度調整部２８（２８ａ、２８ｂ）を有することができ、座部２または着座部本体２１ａの第２の領域１０２（１０２ａ、１０２ｂ）に有するＲ部２４（２４ａ、２４ｂ）からなる凸形状の両側に設けることができる。
【００６０】
また、図８（ｂ）（ｃ）（ｄ）の側面図に示すように、座部２の第１の領域１０１（１０１ａ、１０１ｂ）と第２の領域１０２（１０２ａ、１０２ｂ）の境界線近傍に有するスリット部には、第２の方向に延伸する軸心９２（９２ａ、９２ｂ）と、前記軸心９２（９２ａ、９２ｂ）に挿通される軸受９３（９３ａ１、９３ａ２、９３ｂ１、９３ｂ２）と、前記軸受９３（９３ａ１、９３ａ２、９３ｂ１、９３ｂ２）に固定され、前記軸心９２（９２ａ、９２ｂ）を支点により構成したリクライニング機構９１（９１ａ、９１ｂ）に軸支された角度調整部２８（２８ａ、２８ｂ）を上下方向に回転可能に設けることができる。上下方向に回転可能に設けられた角度調整部２８（２８ａ、２８ｂ）を有することにより、着座者の股関節伸展時の可動域に応じて大腿部と座部２の外縁部との接触圧力を調整することができる。
【００６１】
図９は、座部２または着座部本体２１ａの変形例の形状と構成を説明するために示す図である。座部２または着座部本体２１ａは、図９（ａ）（ｂ）（ｃ）に示すように、座部２または着座部本体２１ａは、第１の方向に第１の領域１０１（１０１ａ、１０１ｂ、１０１ｃ）の前部と、第２の領域１０２（１０２ａ、１０２ｂ）の後部により構成することができる。
【００６２】
座部２または着座部本体２１ａの第１の領域１０１ｃは、着座時に股関節が屈曲の状態となる通常の座位姿勢で、脚を置く領域である。
【００６３】
座部２または着座部本体２１ａの第１の領域１０１ａ、１０１ｂは、着座者が股関節を外転した大腿部をホールドするための凹部を形成した第１の足掛部２０６（２０６ａ、２０６ｂ）を有することができる。第１の足掛部２０６（２０６ａ、２０６ｂ）に脚を支持するための凹部が設けられているので、着座者が足掛部の凹部で脚を支持させながら容易に股関節の外転状態を維持することができる。また、座部２または着座部本体２１ａの側縁部はテーパ状に設け、着座者の大腿部との接触面積を広くするよう設けることにより、接触圧力を和らげることができる。
【００６４】
座部２または着座部本体２１ａの第２の領域１０２（１０２ａ、１０２ｂ）は、着座者が股関節を伸展した大腿部をホールドするための凹部を形成した第２の足掛部２０４（２０４ａ、２０４ｂ）を有することができる。第２の足掛部２０４（２０４ａ、２０４ｂ）に脚を支持するための凹部が設けられているので、着座者が足掛部の凹部で脚を支持させながら容易に股関節の伸展状態を維持することができる。また、座部２または着座部本体２１ａの側縁部はテーパ状に設け、着座者の大腿部との接触面積を広くするよう設けることにより、接触圧力を和らげることができる。
【００６５】
図９（ｃ）は図９（ａ）の上面図に示すＩＩ−ＩＩ線に沿った断面図である。図９（ｃ）に示すように、着座部本体２１ａの第２の領域１０２（１０２ａ、１０２ｂ）に有する第２の足掛部２０４（２０４ａ、２０４ｂ）の側縁部にテーパ状を設けることにより、着座者が股関節を伸展に可動した際の大腿部と座部２の外縁部との接触面積を広くするとともに、緩衝部材２１ｂの外縁部を丸縁状に形成することにより、着座部本体２１ａ外縁部の傾斜と緩衝部材２１ｂの間に厚みが漸増する緩衝部材補強部２１ｄが形成され、クッション性が増加することにより、着座者の大腿部との接触圧力を和らげることができる。
【００６６】
図１０は、座部２または着座部本体２１ａの変形例の形状と構成を説明するために示す図である。図１０（ａ）（ｂ）（ｃ）に示すように、座部２または着座部本体２１ａは、第１の方向に第１の領域１０１（１０１ａ、１０１ｂ、１０１ｃ）の前部と、第２の領域１０２（１０２ａ、１０２ｂ）の後部により構成することができる。
【００６７】
座部２または着座部本体２１ａの第１の領域１０１ｃは、着座時に股関節が屈曲の状態となる通常の座位姿勢で、脚を置く領域である。
【００６８】
座部２または着座部本体２１ａの第１の領域１０１ａ、１０１ｂは、着座者が股関節を外転した際に大腿部と座部２の外縁部との接触圧力を和らげるための傾斜部を有した第１の足掛部２０７（２０７ａ、２０７ｂ）を有することができる。また、第１の足掛部２０７（２０７ａ、２０７ｂ）は、側縁部２９（２９ａ、２９ｂ）と、着座部上面から傾斜が始まる平面の端部となるＲ部２７（２７ａ、２７ｂ）からなる中間領域に形成する傾斜からなることができる。
【００６９】
座部２または着座部本体２１ａの第２の領域１０２（１０２ａ、１０２ｂ）は、着座者が股関節を伸展した際に大腿部と座部２の外縁部との接触圧力を和らげるための傾斜部を有した第２の足掛部２００（２００ａ、２００ｂ）を有することができる。前記第２の足掛部２００（２００ａ、２００ｂ）は、Ｒ部２４（２４ａ、２４ｂ）からなる凸形状と、着座部上面から傾斜が始まる平面の端部となるＲ部２５（２５ａ、２５ｂ）からなる凸形状の中間領域に形成することができ、第１の方向に行くほど中間領域が漸次幅広になることにより、傾斜角度が緩やかに形成することができる。
【００７０】
また、座部２または着座部本体２１ａの第１の領域１０１（１０１ａ、１０１ｂ、１０１ｃ）は、着座者が股関節を外転または伸展した際、もう片方の股関節が屈曲している大腿部と座部２の外縁部との接触圧力を和らげるための傾斜部を有した第３の足掛部２０５（２０５ａ、２０５ｂ）を有することができる。前記第３の足掛部２０５（２０５ａ、２０５ｂ）は、座部２または着座部本体２１ａの着座部本体２１ａの側縁部と、着座部上面から傾斜が始まる平面の端部となるＲ部２７（２７ａ、２７ｂ）との中間領域に形成することができ、座部２または着座部本体２１ａの第１の領域の最前部の第１の方向と第２の方向が交わる両側角部に行くほど中間領域が漸次幅広となることにより、傾斜角度が緩やかに形成することができる。
【００７１】
図１０（ｃ）は図１０（ａ）（ｂ）の上面図に示すＩＩＩ−ＩＩＩ線に沿った断面図である。図１０（ｃ）に示すように、着座部本体２１ａの第２の足掛部２００（２００ａ、２００ｂ）を設けることにより、大腿部の接触面積を広くするとともに、緩衝部材２１ｂの外縁部を丸縁状に形成することにより、着座部本体２１ａ外縁部の傾斜と緩衝部材２１ｂの間に厚みが漸増する緩衝部材補強部２１ｄが形成され、クッション性が増加することにより、股関節を伸展した際の座部２の外縁部と大腿部との接触圧力を和らげることができる。
【００７２】
また、Ｒ部２４（２４ａ、２４ｂ）の形状と第２の足掛部２００（２００ａ、２００ｂ）に形成された漸次緩やかな傾斜により、着座者が股関節の外転から伸展動作をガイドするよう支えることができる。
【００７３】
また、着座部本体２１ａの第３の足掛部２０５（２０５ａ、２０５ｂ）に、緩衝部材２１ｂの外縁部を丸縁状に形成し、接合することにより、着座部本体２１ａ外縁部の傾斜と緩衝部材２１ｂの間に厚みが漸増する緩衝部材補強部２１ｇが形成され、クッション性が増加することにより、着座者が片方の股関節を外転および伸展した際に、もう片方の股関節の屈曲を維持する側の大腿部と座部２の外縁部との接触圧力を和らげるとともに、両股関節を屈曲した通常の座位姿勢から片方の股関節を外転に可動する際の座部２の外縁部と大腿部との接触圧力を和らげることができる。
【００７４】
また、Ｒ部２７（２７ａ、２７ｂ）の形状と第３の足掛部２０５（２０５ａ、２０５ｂ）に形成された傾斜により、着座者が股関節の屈曲から外転動作をガイドするよう支えることができる。
【００７５】
図１１は、枕部５とハンドル部３（３ａ、３ｂ）の構成と、支持部６に設置する枕部５の高さ調整の実施例について説明するための図である。図１１に示すように、支持部６から第１の方向に前方向に突き出した凸形状を有する枕部５が備えられており、例えば枕部５は第２の方向に横方向に延伸する円柱形状を有し、円柱形状周壁の凸部を腰背部に接触することができる。枕部５から第３の方向の上部には、領域３１と領域３２が設けられており、図１９に示すように、領域３１は、胸腰部を後屈に可動することができる。また、図２０に示すように、領域３２は、着座者は肩甲帯を伸展、肩関節を伸展に可動することができる。また、枕部５から第３の方向の下部には、座部２との間に形成される空隙３０（３０ａ、３０ｂ）が設けられており、枕部５を高さ調整することにより、空隙３０（３０ａ、３０ｂ）の大きさを調整することができる。
【００７６】
枕部５は円柱形状を有するが、枕部はアーチ状の周壁が腰背部に接触できればよく、半円柱を有することができる。また、楕円柱形を有することができる。楕円柱形を有することにより、アーチがなだらかになることにより腰背部の接触面が広がり、圧力を和らげることができる。また、接触面の広さを狭くすることにより、腰背部との接触圧力を強くすることができる。
【００７７】
枕部５は、腰背部との接触圧力を受けても凸形状を保持するために、枕部の本体にはある程度剛性を有した金属、硬質樹脂、木材等を用いることができる。
【００７８】
また、腰背部が接触する該本体の前部または該本体の全体を覆うように、ゴム材、ゲル状部材、ウレタン素材など比較的柔らかい緩衝部材を配置することで、接触部の皮膚と枕部本体との圧迫を和らげることができる。
また、ポリエステル等のプラスチック樹脂、布、合皮生地、皮革から成る布材を主体に構成された張地を、本体、緩衝部材の全域を覆い隠し得る寸法を有し、張地を、ファスナー等で着脱可能に被着してもよい。
【００７９】
前記構成は、本体と緩衝部材は好適に接合されていればよく、張地の接合は、機械的接合によらず、化学的接合、材料的接合により接合することができる。
【００８０】
また、図１１に示すように、支持部６と枕部５は、接合部１０により、後面中央に従来の接合にて接合することができる。また、支持部６は、金属、硬質樹脂、木材等から成ることができる。
【００８１】
また、枕部５の高さ調整の実施例を図１１（ｃ）（ｄ）に示す。接合部１０の中央には雌ネジが設けられており、固定ノブ１１を螺着することにより、枕部５を支持部６に固定することができる。また、枕部５には、第２の方向に両側の横方向に延伸する、ハンドル部３（３ａ、３ｂ）を設けることができる。
【００８２】
ハンドル部３（３ａ、３ｂ）、接合部１０は、金属、硬質樹脂、木材等によりなることができ、ハンドル部３（３ａ、３ｂ）は、ゴム、ポリウレタン、樹脂製のグリップを被着することができる。
【００８３】
また、枕部５の第３の方向の上部に、胸腰部の後屈可能な領域３１と、枕部５の第３の方向の上方向に、着座者の腕を後方に可動させ、肩関節、肩甲帯の伸展可能な領域３２を有することができる。
【００８４】
図１２は、本実施形態の椅子１に有する支持部６の頂部に着座者の頭部を支持するための枕部７を設置するとともに、ハンドル部の変形例を示す。
【００８５】
図１２に示すように、ハンドル部は、着座者の股関節の可動を妨げない範囲であれば、いずれの方向に弯曲してもよい。例えば、ハンドル部８（８ａ、８ｂ）は、第２の方向に延伸し、第１の方向に前方向に弯曲することができる。また、枕部７は支持部６の頂部に、高さ調整可能に接合することができる。
【００８６】
枕部７は、枕部本体に金属、硬質樹脂、木材等を用いることができる。また、本実施形態の椅子１に着座した着座者の背部から頭部が接触する該枕部本体の前部または該本体の全体を覆うように、ゴム材、ゲル状部材、ウレタン素材など比較的柔らかい緩衝部材を配置することで、枕部本体に圧迫される皮膚を損傷することを防ぐことができる。また、ポリエステル等のプラスチック樹脂、布、合皮生地、皮革から成る布材を主体に構成された張地を、枕部本体、緩衝部材の全域を覆い隠し得る寸法を有し、張地を、ファスナー等で着脱可能に被着してもよい。
【００８７】
前記構成は、枕部本体と緩衝部材は好適に接合されていればよく、張地の接合は、機械的接合によらず、化学的接合、材料的接合により接合することができる。
【００８８】
図１３〜１５は、枕部とハンドル部がそれぞれ接合部を備えることを説明するために示す図である。
【００８９】
図１３は、枕部とハンドル部がそれぞれ接合部を備えた本実施形態の椅子１の斜視図である。
【００９０】
図１４は、枕部５とハンドル部８０が支持部６に接合する状態を説明するために示す図である。図１４（ａ）（ｂ）に示すように、枕部５に接合する接合部４０の穴部と、ハンドル部８０に接合する接合部７０の穴部に支持部６が挿通するとともに、固定ノブ４１、７１により固定することができる。
【００９１】
また、図１４（ｃ）（ｄ）に示すように接合部７０、固定ノブ７１を操作することにより、ハンドル部８０の高さを調整することができる。
【００９２】
また、図１４（ｅ）（ｆ）に示すように、支持部６に設置する枕部５とハンドル部８０の上下の配置を入れ替えて設置することができる。
【００９３】
図１５は、本実施形態の椅子１に枕部５とハンドル部８０がそれぞれ接合部を備えた状態を示す前面図、後面図、側面図、上面図である。
【００９４】
図１６は、本実施形態の椅子１に、支持部、枕部、ハンドル部が一体に備えた背もたれ部４の設置例を示す斜視図である。図１６に示すように、座部２の第２の方向の後部に取り付けられ、上方に延伸する背もたれ部４は、腰背部との接触部は、第１の方向に前方向に凸形状を有する凸部が設けられており、前記凸部から第２の方向から第１の方向に前方向に弯曲して延伸する把持部を設けることができる。腰背部との接触部となる前記凸部は、形状、硬さを変更できるよう着脱可能に接合してもいよい。背もたれ部４の前記凸部の第３の方向の上部には、領域３１と領域３２が設けられており、図１９に示すように、領域３１は、胸腰部を後屈に可動することができる。また、図２０に示すように、領域３２は、着座者は肩甲帯を伸展、肩関節を伸展に可動することができる。
【００９５】
図１７は、本実施形態の椅子１に、支持部、枕部、ハンドル部が一体に備えた背もたれ部４の設置例を示す前面図、後面図、側面図、上面図である。
【００９６】
図１８〜２５は、本実施形態の椅子１の使用方法を説明するために示す概略図である。
【００９７】
図１８に示すように、本実施形態の椅子１に着座した着座者は、両股関節を屈曲させて、座部２の第１の領域１０１ｃに脚を置いた通常の座位姿勢において、腰背部に、円柱形が第２の方向の横方向に設置された枕部５の周壁に接触することにより、胸椎および腰椎が生理的弯曲に保たれている。枕部５は、ある程度剛性を有した素材により構成することにより、接触部の形状が大きく変形することなく背骨に対して前方向に圧力をかけることができる。
【００９８】
図１９は、支持部６に支持された円柱形状の枕部５の周壁に、着座者の腰背部３１０が接触している状態を示す。腰背部と接触する枕部５の第３の方向の上部に、胸腰部後屈領域３１を有することにより、座位姿勢で枕部５が脊椎を支えながら腰背部３１１の状態に可動（後屈）することができる。
【００９９】
長期的に固定した関節に起こる、筋委縮および筋柔軟性の低下による可動制限により、胸椎が過後弯、腰椎が過小前弯に変位し、猫背姿勢となる従来の椅子における背骨の課題を解決するために、枕部５により胸椎、腰椎を接触するとともに、胸腰部後屈領域３１を設け、胸腰部の後屈を可能にすることにより、背骨の生理的弯曲を維持、調整することができる。
【０１００】
図２０は、従来の椅子における肩関節および肩甲帯の課題に対する解決を説明するために示す概略図である。図２０に示すように、本実施形態の椅子１に着座した着座者は、枕部５の第３の方向の上方向に領域３２を有することにより、着座者の腕部を第１の方向の後方へ挿通し、両肩関節および肩甲帯を伸展に可動することができる。
【０１０１】
長期的に固定した関節に起こる、筋委縮および筋柔軟性の低下による可動制限により、肩関節および肩甲帯の屈曲状態に変位し、猫背姿勢となる従来の椅子における課題を解決するために領域３２を設け、両肩関節および肩甲帯を伸展への可動を可能にすることにより、肩関節、肩甲帯の屈曲状態による胸椎の過後弯を予防し、生理的弯曲を維持することができる。
【０１０２】
図２１は、従来の椅子における股関節の課題に対する解決を説明するために示す概略図である。図２１に示すように、本実施形態の椅子１に着座した着座者は、横方向に延伸するハンドル部３（３ａ、３ｂ）を把持また肘に掛けることにより体を支えながら股関節を外転に可動することができる。
【０１０３】
また、ハンドル部３（３ａ、３ｂ）を把持また肘に掛けながら肩関節および肩甲帯を伸展することにより、枕部５により腰背部を第１の方向の前方へ押圧する作用を強めることができる。
【０１０４】
また、座部２外縁部に形成したテーパ状、または丸縁状の外転時足掛部２２ａにより、股関節を外転に可動した際に大腿部との接触する圧力を和らげることができる。
【０１０５】
また、腰背部と接触する枕部５の第３の方向の上部に、胸腰部後屈領域３１を有することにより、座位姿勢で枕部５が脊椎を支えながら腰背部を可動（後屈）することができる。胸腰部後屈の強度により、股関節の筋群のストレッチを加減することができる。
【０１０６】
図２２は、本実施形態の椅子１に着座者が着座した状態を説明するために示す図である。図２２に示すように、座部２と枕部５の上下の間に設けられ空隙部３０の空間により、臀部が後方に露出することができ、股関節を伸展に可動することができる。
【０１０７】
また、座部２外縁部に形成したテーパ状、または丸縁状の外転時足掛部２２ａ、伸展時足掛部２３ａにより、股関節を外転から伸展に可動した際に大腿部との接触する圧力を和らげることができる。
【０１０８】
また、本実施形態の椅子１に着座した着座者は、横方向に延伸するハンドル部３（３ａ、３ｂ）を肘にかけて身体を支えながら股関節を外転および伸展に可動した姿勢を示す。横方向に延伸するハンドル部３により体を支えることで、背骨の生理的弯曲を保ちながら、安定した体勢で股関節を外転および伸展することができる。更に、肩関節および肩甲帯を伸展することができるとともに、枕部５による腰背部への押圧を加減することができる。
【０１０９】
また、腰背部と接触する枕部５の第３の方向の上部に、領域３１を有することにより、座位姿勢で枕部５が脊椎を支えながら腰背部を可動（後屈）することができ、胸腰部後屈の強度により、股関節の筋群のストレッチを加減することができる。
【０１１０】
図２１、２０および２１は、本実施形態の椅子１に設置する座部２の形状を説明するために示す図である。図２３は、着座者の股関節の骨格の動きを概略的に示す図である。図２１は図２３に示す（ａ）〜（ｃ）の脚の位置、図２２は図２３に示す（ｄ）〜（ｆ）の脚の位置に照合するように示す。
【０１１１】
図２３に示す本実施形態の椅子１に着座した着座者の股関節の動きによる脚の位置（ａ）〜（ｆ）は、着座者の股関節の可動を分かりやすくするために、寛骨臼、大腿骨頭３００およびその他の骨格を同じ位置に固定して図に示した。
【０１１２】
（可動１）
図２１（ａ）、図２３（ａ）は、本実施形態の椅子１に着座した着座者の股関節が屈曲の座位姿勢での脚の位置を示す。着座者の股関節が屈曲することにより、脚は第１の領域１０１ｃに位置し、座位姿勢を保つ状態を示す。
【０１１３】
（可動２）
図２１（ｂ）、図２３（ｂ）は、本実施形態の椅子１に着座した着座者の股関節を浅く外転に可動した脚の位置を示す。着座者の股関節が外転することにより、脚は第１の領域１０１ａに位置し、大腿部は第１の足掛部２２ａに接触しており、股関節は外転しているが、股関節の屈曲と、膝関節の屈曲も保たれた状態を示す。
【０１１４】
（可動３）
図２１（ｃ）、図２３（ｃ）は、本実施形態の椅子１に着座した着座者の股関節を外転に可動した脚の位置を示す。着座者の股関節が外転することにより、脚は第１の領域１０１ａに位置し、大腿部は第１の足掛部２２ａに接触しており、股関節は外転しているが、膝の屈曲が保たれた状態を示す。
【０１１５】
（可動４）
図２２（ａ）、図２３（ｄ）は、本実施形態の椅子１に着座した着座者の股関節を外転および伸展に可動した脚の位置を示す。着座者の股関節が外転および伸展することにより、脚は第２の領域１０２ａに位置し、大腿部は第２の足掛部２３ａに接触しており、空隙部３０ａに着座者の臀部を移動させることにより、股関節は外転、伸展に可動することができる。その際、Ｒ部２４による座部の凸形状により、図２３（ｃ）から（ｄ）の可動がガイド、サポートされることを示す。
【０１１６】
（可動５）
図２２（ｂ）、図２３（ｅ）は、本実施形態の椅子１に着座した着座者の股関節を外転および伸展に可動した脚の位置を示す。着座者の股関節が外転および伸展することにより、脚は第２の領域１０２ａに位置し、大腿部は第２の足掛部２３ａに接触しており、空隙部３０ａに着座者の臀部を移動させることにより、股関節は外転、伸展に可動することができる。その際、Ｒ部２４による座部の凸形状により、図２３（ｄ）から（ｅ）の可動がガイド、サポートされることを示す。
【０１１７】
（可動６）
図２２（ｃ）、図２３（ｆ）は、本実施形態の椅子１に着座した着座者の股関節を大きく伸展に可動した脚の位置を示す。着座者の股関節が深く進展することにより、脚は第２の領域１０２ａに位置し、大腿部は第２の足掛部２３ａに接触しており、空隙部３０ａに着座者の臀部を移動させることにより、股関節は深く伸展に可動することができる。その際、Ｒ部２４による座部の凸形状により、図２３（ｅ）から（ｆ）の可動がガイド、サポートされることを示す。
【０１１８】
図２３（ａ）〜（ｆ）に示すように、本実施形態の椅子１に着座した着座者の股関節の外転から最大伸展までの可動では、大腿骨頭および寛骨臼３００を中心に大腿部が可動しており、図２３（ｅ）〜（ｆ）に示す股関節の伸展の可動では、座部２の後部に有するＲ部２４の凸形状により、好適にガイドおよびサポートされる状態を示す。股関節の伸展動作において、座部後部の形状は、股関節の構造を考慮し、Ｒ部２４を有することが重要である。
【０１１９】
長期的に固定した関節に起こる、筋委縮および筋柔軟性の低下による可動制限により、股関節が屈曲状態に変位し、立位および歩行がしにくい状態となる従来の椅子における課題を解決するために、椅子での座位姿勢において、股関節の外転および伸展の可動を可能にすることにより、股関節、腰背部の各筋群の弛緩および収縮が可能となり、股関節の柔軟性を保つことができる。
【０１２０】
本実施形態の椅子１に着座した着座者の股関節を伸展した際に、大腿部と座部２の外縁部との接触圧力を和らげ、股関節の柔軟性に合せて調整するために、リクライニング機構９１を有した座部の構成例を図２４に示す。座部２のと第２の領域１０２ａに有する角度調整部２８ａを、第３の方向の下方へ角度を調整することにより、着座者の股関節伸展時の可動域に応じて大腿部の接触圧力を調整することができる。
【０１２１】
本実施形態の椅子１に着座した着座者の股関節を伸展した際に、脚部の高さ調整を行うことにより、股関節の柔軟性に合せて調整する使用例を図２５に示す。図２５に示すように、脚部１３に有するガスシリンダー機構による昇降操作により座部２の高さ調整を行うことにより、着座者の股関節の可動（特に伸展）の強度を調整することができる。図２５は、座部２を第３の方向の下方向に位置調整することにより、着座者の股関節の伸展が強くなることを示す。
【０１２２】
図２６は、図２２、２２、２３に示す、本実施形態の椅子１に着座する着座者が股関節を伸展した状態の上面図を示す。
【０１２３】
図２７は、本実施形態の椅子１に着座者が着座した状態を説明するために示す図である。図２７に示すように、椅子１は、座部２と支持部６の接合にリクライニング機構９０を備えることにより、支持部６の角度を後方に調整することができる。本実施形態の椅子１に着座した着座者の腰背部に、円柱形が第１の方向と交差する第２の方向の横方向に設置された枕部５の周壁に接触することにより、胸椎、腰椎が生理的弯曲に保たれている。
【０１２４】
また、枕部７の位置を着座者の頭部にまで延伸し、リクライニング機構９０により、支持部６を第１の方向の後方に倒すことにより、枕部７により頭部を支え、枕部５を腰背部に接触することにより前方向に圧力をかけることにより、座位姿勢で生理的弯曲を保ちながら寛ぐことができる。
【０１２５】
従来の椅子の課題は、従来の椅子での座位姿勢で引き起こされる身体の不調により、筋委縮および筋柔軟性の低下による可動制限が主にどの部位に現れるかを、骨格調整により回復させる過程で検証した結果、観取できたものである。
【０１２６】
前記骨格調整とは、骨格の歪みを本来あるべき位置に戻すことにより不調を回復させることを示し、ここで示す骨格の歪みとは、筋肉の委縮、柔軟性の低下により、該筋肉に関わる関節および骨格の接合が、本来あるべき位置に留まることができない事により寄るものを指す。
【０１２７】
以下に従来の椅子における課題は、主に３つあると考え、その具体例を示す。第１の課題は、デスクワークでは、腕が前に置かれ、肩甲帯と肩関節の屈曲状態が長時間継続される事により、肩甲骨が外側に開いた状態で肩甲帯、肩関節の伸展に対する可動制限が起こり、猫背姿勢から胸を張る肩甲帯、肩関節伸展に可動しにくくなる課題。
【０１２８】
第２の課題は、デスクワークなどで、頭部を下方に向けることにより、前傾姿勢となり、頭部を支え続ける筋群が、萎縮し、柔軟性の低下による可動制限が起こる。このように、肩甲帯、肩関節の屈曲に加え、頭部が下方に向く姿勢が同時に継続する状態となり、背骨の生理的弯曲が維持できない状態となる背骨の課題。
【０１２９】
第３の課題は、股関節の屈曲状態が長時間継続される事により、股関節の筋群が骨格系の反応により、股関節伸展に対する可動制限が起こり、立位において、股関節の筋群が硬くなり、歩行において、下肢に負担がかかる状態となる。
この状態で、立位で上体を起こす姿勢では、股関節が伸展できず屈曲しているため、膝関節も伸展できず屈曲した状態となる。立位姿勢で膝関節の屈曲状態が継続されると、大腿部前面と側面の筋群が収縮されることにより、さらに股関節の筋群が硬くなる課題。
【０１３０】
前記に挙げた複数の課題により、頸椎、胸椎、腰椎の生理的弯曲が失われ、胸椎が過後弯となり、腰椎が過小前弯となる状態が長期間継続すると、座位または立位の状態で体にかかる重力を受け止める際、身体を支える筋肉が弛緩できない状態となり、前記筋骨格系の反応が強化される。例えば、長時間座位姿勢を長期間継続するようなデスクワークにより、立位姿勢や歩行において脚腰の不調を来すようになる。
【０１３１】
また、高齢者の猫背姿勢による歩行、または杖を用いての歩行では、股関節は伸展できず、前かがみとなり、股関節の屈曲の可動のみで歩行が行われている。この状態は、単に加齢による影響と捉えられることが通常だが、高齢者の生活習慣では、活動量が減少することにより就寝時以外の多くの時間は座位姿勢となる。前記事例はデスクワークではないものの、いずれも、従来の椅子での座位姿勢の前記課題により引き起こされる不調や姿勢の悪化であり、その状態が継続することにより、不調や姿勢の悪化が増強されることになる。
【０１３２】
このように、長期的に固定した関節に起こる、筋委縮および筋柔軟性の低下により、可動制限が起こる猫背を呈した背骨を回復するには、腰背部への適切な接触を行う必要がある。また、従来の椅子で、股関節が屈曲した姿勢を、長時間維持する事自体を解決すべき従来の椅子における課題である。
【０１３３】
本実施形態の椅子１は、長時間座位姿勢を取り続けても、立位や歩行が不調なく行える状態を維持するために、従来の椅子では補えない三つの機能を付加することにより、着座における課題を解決する。
【０１３４】
第１の課題解決は、長時間腕が前に置かれた肩関節の屈曲により、肩甲骨が外側に変位し、胸椎の過後弯の変位を予防するために、腰背部の接触部を除く範囲は、肩関節が伸展可能に背当て部を形成することにより、肩関節、肩甲骨の柔軟性を保つものである。第１の課題解決の使用例を図２０に示す。
【０１３５】
第２の課題解決は、胸椎が過後弯、腰椎が過小前弯に変位し、この状態で可動制限が起こることにより、猫背姿勢となる。この課題に対して、腰背部に接触する接触部を凸形状に形成することにより、筋骨格系の反応を呈した胸椎、腰椎に対して、適切な圧力をかけるとともに、枕部と腰背部の接触部を支点に、胸腰部を後屈できるよう構成することにより背骨の生理的弯曲に維持、調整するものである。
【０１３６】
前記変位とは、筋肉の委縮、柔軟性の低下により、該筋肉に関わる関節および骨格の接合が、本来あるべき位置に留まることができない事により寄るものを指す。
【０１３７】
猫背を呈した脊椎を骨格調整する際、肩関節および肩甲帯が伸展しながら、腰背部を前方に押圧することにより、効果的に生理的弯曲に調整することができる。これは、肩関節および肩甲帯を伸展する第１の方向の後方への動きと、相反する腰背部を押圧する第１の方向の前方への動きにより、胸椎の過後弯および腰椎過小前弯に変位した椎体が、調整するべき第１の方向の前方へ動きやすくなる。一つ目と二つ目の機能を連動させることにより作用を強めることができることが特徴である。第２の課題解決の使用例を図１８、１７に示す。
【０１３８】
第３の課題解決は、座位姿勢を長時間および長期間継続するようなデスクワークにより、股関節の屈曲の状態が継続する事により、股関節屈筋群の筋委縮、柔軟性の低下がみられる。この課題に対して、座部、背当て部の形状を股関節の可動を可能に形成することにより、股関節の柔軟性を保つものである。第３の硬い解決の使用例を図２１〜２４に示す。
【０１３９】
従来の椅子による姿勢における課題解決を一つ一つ個別に行うのであれば、周知のストレッチ法に過ぎないが、本実施形態の椅子１は、図１８から２４の使用例に示すように、凸形状を有する枕部による腰背部への接触と、肩関節および肩甲帯の伸展への可動と、股関節の外転、伸展への可動とが関連しあうことにより、同時に調整が可能であることに加え、敢えて立位や床座することなく、椅子による座位姿勢で、デスクワークを行いながら、骨格筋群の柔軟性向上を図ることができる。
【０１４０】
胸腰部の前屈、股関節の屈曲および膝関節の伸展へのストレッチは、これまで腰痛改善等に対する改善方法として注目されてきた。前記ストレッチは必要であるが、従来の椅子に座り続けた結果として、股関節および膝関節の屈筋群が、筋委縮および筋柔軟性の低下による可動制限を起こした状態で行うと、股関節の屈筋群の収縮が増強すると同時に、強く収縮した膝関節を伸展することにより、股関節や腰椎、胸椎に強い圧力がかかるようになる。この場合、筋肉をストレッチすることへの効果、効能を充分に得られず、股関節や腰椎、胸椎にかかる強い圧力により、身体への負担が強まる状態となり得る。そのため、股関節の可動を多方向に可能にした本実施形態の椅子１により、座位姿勢により引き起こされる筋群の収縮に対して優先にストレッチすることが重要である。
【０１４１】
座り心地を向上させるための従来の椅子や、姿勢を正すための従来の椅子の座部、背もたれの形状は、同じ姿勢で座り続ける事を前提にするものであり、本実施形態の椅子１は、座位姿勢において、多様な体の動きを行う事を前提にするものであり、その差を見出し、形にしたものである。
【０１４２】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【０１４３】
１  椅子本体
２  座部
３、３ａ、３ｂ  ハンドル部
４  背もたれ部
５  枕部
６  支持部
７  枕部
８、８ａ、８ｂ  ハンドル部
９、９ａ、９ｂ  延長部
１０  接合部
１１  固定ノブ
１３  脚部
１４  支持基部
１５  接合部
２０  座受け
２１  着座部
２１ａ  本体
２１ｂ  緩衝部材
２１ｃ  緩衝部材補強部
２１ｄ  緩衝部材補強部
２１ｅ  緩衝部材補強部
２１ｆ  緩衝部材補強部
２１ｇ  緩衝部材補強部
２２、２２ａ、２２ｂ  第１の足掛部
２３、２３ａ、２３ｂ  第２の足掛部
２４、２４ａ、２４ｂ  Ｒ部
２５、２５ａ、２５ｂ  Ｒ部
２６、２６ａ、２６ｂ  Ｒ部
２７、２７ａ、２７ｂ  Ｒ部
２８、２８ａ、２８ｂ  角度調整部
２９、２９ａ、２９ｂ  外縁部３０、３０ａ、３０ｂ  空隙部
３１  領域
３２  領域
４０  接合部
４１  固定ノブ
５０  接合部
５１  固定ノブ
６１  固定ノブ
７０  接合部
７１  固定ノブ
８０  ハンドル部
８１、８１ａ、８１ｂ  延長部
９０  リクライニング機構
９１、９１ａ、９１ｂ  リクライニング機構
９２、９２ａ、９３ｂ  軸心
９３、９３ａ１、９３ａ２、９３ｂ１、９３ｂ２  軸受
１０１、１０１ａ、１０１ｂ  第１の領域
１０２、１０２ａ、１０２ｂ  第２の領域
２００、２００ａ、２００ｂ  第２の足掛部
２０１、２０１ａ、２０１ｂ  第１の足掛部
２０２、２０２ａ、２０２ｂ  第２の足掛部
２０３、２０３ａ、２０３ｂ  第２の足掛部
２０４、２０４ａ、２０４ｂ  第２の足掛部
２０５、２０５ａ、２０５ｂ  第３の足掛部
２０６、２０６ａ、２０６ｂ  第２の足掛部
２０７、２０７ａ、２０７ｂ  第１の足掛部
２１０  平面部
３００  大腿骨頭・寛骨臼
３１０  腰背部
【要約】
【課題】椅子による座位姿勢で硬くなる股関節および腰背部を、椅子に座る姿勢で股関節を自由に可動できるとともに、腰背部の猫背を補正する椅子を提供することを課題とする。
【解決手段】本発明に係る椅子は、第１の方向に配置された第１の領域と第２の領域を有する座部と、座部に取り付けられ、方に伸延する支持部と、支持部に取り付けられ、背中を支持するための枕部と、支持部に取り付けられる、第１の方向と交差する第２の方向に延伸するハンドル部と、座部に取り付けられ、下方に延伸する脚部とを備える。座部は、第２の領域の周縁部に設けられた足掛部を有する。また、座部は、第２の領域と枕部との間に、下肢が挿通可能に設けられた空隙を有する。
【選択図】  図１【図１】
0006970994.tif 000002
【図２】
0006970994.tif 000003
【図３】
0006970994.tif 000004
【図４】
0006970994.tif 000005
【図５】
0006970994.tif 000006
【図６】
0006970994.tif 000007
【図７】
0006970994.tif 000008
【図８】
0006970994.tif 000009
【図９】
0006970994.tif 000010
【図１０】
0006970994.tif 000011
【図１１】
0006970994.tif 000012
【図１２】
0006970994.tif 000013
【図１３】
0006970994.tif 000014
【図１４】
0006970994.tif 000015
【図１５】
0006970994.tif 000016
【図１６】
0006970994.tif 000017
【図１７】
0006970994.tif 000018
【図１８】
0006970994.tif 000019
【図１９】
0006970994.tif 000020
【図２０】
0006970994.tif 000021
【図２１】
0006970994.tif 000022
【図２２】
0006970994.tif 000023
【図２３】
0006970994.tif 000024
【図２４】
0006970994.tif 000025
【図２５】
0006970994.tif 000026
【図２６】
0006970994.tif 000027
【図２７】
0006970994.tif 000028